(57)【要約】【課題】テレビ信号におけるＣＲＩ信号とＦＣ信号をノイズから誤検出してしまうことで、ＴＥＬＥＴＥＸＴ信号などのＶＢＩ信号が重畳していない場合でもＶＢＩ信号ありと誤判定してしまい、ＶＢＩ信号有無判定が安定しない問題があった。【解決手段】ＣＲＩ及びＦＣの検出をもとにして現フィールドでのＴＥＬＥＴＥＸＴ信号を検出するフィールドＴＥＬＥＴＥＸＴ検出部４２０と、前３フィールドでのＴＥＬＥＴＥＸＴ検出結果を保持する複数フィールド検出結果保持部７１０と、現フィールドでのＴＥＬＥＴＥＸＴ検出結果と前３フィールドでの検出結果とをもとにＴＥＬＥＴＥＸＴ有無判定を行うフレーム型ＴＥＬＥＴＥＸＴ有無判定部７００とを備え、２フィールドのＴＥＬＥＴＥＸＴ検出結果を１組の１フレームの結果とし、フレーム間での規則性を比較判定する。ＴＥＬＥＴＥＸＴ信号に限らずＶＢＩ信号一般に有効である。【選択図】図７
2008228008.tif 000002
【特許請求の範囲】
【請求項１】
映像信号の垂直同期期間におけるＶＢＩ信号の有無を判定するための装置であって、
前記映像信号からＣＲＩ信号の有無を検出するＣＲＩ検出部と、
ＶＢＩ信号種類を識別するコードであるＦＣ信号の有無を検出するＦＣ検出部と、
前記ＣＲＩ検出と前記ＦＣ検出とをもとにしてフィールドでのＶＢＩ信号検出を判定するフィールドＶＢＩ検出部と、
前記フィールドＶＢＩ検出部の検出結果を最新の結果以前の複数フィールド分を保持するフィールド検出結果保持部と、
前記フィールドＶＢＩ検出部での検出結果と、前記フィールド検出結果保持部での最新の結果以前の複数フィールドでの検出結果とをもとにＶＢＩ信号有無判定を行うＶＢＩ信号有無判定部とを備えたことを特徴とするＶＢＩ信号有無判定装置。
【請求項２】
請求項１記載のＶＢＩ信号有無判定装置において、
前記フィールド検出結果保持部は、検出結果の取得順序を識別して保持し、
前記ＶＢＩ信号有無判定部は、前記フィールドＶＢＩ検出部での検出結果と、前記フィールド検出結果保持部での検出結果とをもとに、取得順序を考慮して比較し、ＶＢＩ信号有無判定を行うことを特徴とするＶＢＩ信号有無判定装置。
【請求項３】
請求項１記載のＶＢＩ信号有無判定装置において、
前記フィールド検出結果保持部は、検出結果の取得順序を識別して保持し、
前記ＶＢＩ信号有無判定部は、最新フィールドでの検出結果を含む最新Ｎ（Ｎは２以上の任意の偶数）フィールドの検出結果を１組とし、最新Ｎフィールド以前のＮフィールドの検出結果を１組前の結果とし、Ｎフィールドの検出結果の組間で比較しＶＢＩ信号有無判定を行うことを特徴とするＶＢＩ信号有無判定装置。
【請求項４】
請求項１記載のＶＢＩ信号有無判定装置において、
前記フィールド検出結果保持部は、検出結果の取得順序を識別して保持し、
前記ＶＢＩ信号有無判定部は、前記フィールドＶＢＩ検出部での検出結果と、前記フィールド検出結果保持部での検出結果とをもとに、最新フィールドの検出結果と１フィールド前の検出結果とを１組の１フレームの結果とし、２フィールド前の検出結果と３フィールド前の検出結果を１フレーム前の結果とし、２フレーム間で比較しＶＢＩ信号有無判定を行うことを特徴とするＶＢＩ信号有無判定装置。
【請求項５】
請求項１記載のＶＢＩ信号有無判定装置において、
更にＶＢＩ信号有無判定結果回数をカウントするカウント部を持ち、
前記カウント部のカウント結果と判定閾値とを比較してＶＢＩ信号有無判定の精度を高めることを特徴とするＶＢＩ信号有無判定装置。
【請求項６】
請求項１又は５に記載のＶＢＩ信号有無判定装置において、
更に映像信号の電界強度が弱いことを検出する弱電界判定部を持ち、
前記弱電界判定部の判定結果を用いて、ＶＢＩ信号有無判定方法を切り替えることを特徴とするＶＢＩ信号有無判定装置。
【請求項７】
請求項１〜６のいずれか１項に記載のＶＢＩ信号有無判定装置において、
前記ＶＢＩ信号について、ＴＥＬＥＴＥＸＴ信号有無の判定に利用することを特徴とするＶＢＩ信号有無判定装置。
【請求項８】
請求項７記載のＶＢＩ信号有無判定装置において、
更に、ＴＥＬＥＴＥＸＴデータにおいてハミング８／４コードで送信されるデータのハミングエラーを検出するデータエラー検出部を持ち、
前記フィールドＶＢＩ検出部は、前記ＣＲＩ検出と前記ＦＣ検出と前記データエラー検出とをもとにしてフィールドでのＶＢＩ信号検出を判定することを特徴とするＶＢＩ信号有無判定装置。
【請求項９】
請求項７記載のＶＢＩ信号有無判定装置において、
更に、フィールドにおけるＣＲＩとＦＣを共に検出した水平ライン数をカウントするライン数カウント部を持ち、
前記フィールドＶＢＩ検出部は、前記ライン数カウント部のカウント結果とライン判定閾値とを比較してフィールドでのＶＢＩ信号検出を判定することを特徴とするＶＢＩ信号有無判定装置。
【請求項１０】
請求項７記載のＶＢＩ信号有無判定装置において、
更に、映像信号からＶＰＳ信号のデータエラーを検出するＶＰＳデータエラー検出部を持ち、
前記フィールドＶＢＩ検出部は、前記ＣＲＩ検出と前記ＦＣ検出と前記ＶＰＳデータエラー検出とをもとにしてフィールドでのＶＢＩ信号検出を判定することを特徴とするＶＢＩ信号有無判定装置。
【請求項１１】
請求項７記載のＶＢＩ信号有無判定装置において、
更に、映像信号からＷＳＳ信号のデータエラーを検出するＷＳＳデータエラー検出部を持ち、
前記フィールドＶＢＩ検出部は、前記ＣＲＩ検出と前記ＦＣ検出と前記ＷＳＳデータエラー検出とをもとにしてフィールドでのＶＢＩ信号検出を判定することを特徴とするＶＢＩ信号有無判定装置。
【請求項１２】
請求項７記載のＶＢＩ信号有無判定装置において、
更に、ＴＥＬＥＴＥＸＴデータをスライスしてパケット番号を取得するデータスライス部と、
任意の番号のパケット検出数をカウントするパケットカウント部と、
前記パケットカウント部のカウント値を、任意の複数フィールドにおいて集計するパケット集計部とを持ち、
前記ＶＢＩ信号有無判定部は、前記パケット集計部の集計値とパケット判定閾値とを比較してＶＢＩ信号有無判定を行うことを特徴とするＶＢＩ信号有無判定装置。
【請求項１３】
請求項１〜１２のいずれか１項に記載のＶＢＩ信号有無判定装置を有するテレビ装置。
【請求項１４】
請求項１〜１２のいずれか１項に記載のＶＢＩ信号有無判定装置を有する録画装置。
【発明の詳細な説明】
【技術分野】
【０００１】
本発明は、映像信号の垂直同期期間におけるＶＢＩ（Vertical Blanking Interval）信号の有無を判定するための装置に関するものである。
【背景技術】
【０００２】
テレビ信号には、ＴＥＬＥＴＥＸＴ（テレテキスト）信号などのＶＢＩ信号が重畳されている。従来は、継続してＣＲＩ（Clock Run In：クロックランイン）信号と、ＦＣ（Framing Code：フレーミングコード。ＶＢＩ信号種別を識別するコード）信号とが検出できることをもって、ＶＢＩ信号有無を判定していた（特許文献１参照）。
【０００３】
正常なＴＥＬＥＴＥＸＴ信号を図１に、誤検出するノイズ信号例を図２に、映像信号とフィールド、フレームの関係図を図３に、従来技術の構成図を図４に、従来技術の処理フローを図５のＳＴＥＰ５００〜ＳＴＥＰ５４０に、従来技術による判定の具体例を図６にそれぞれ示す。
【０００４】
具体的に説明すると、従来のＶＢＩ信号有無判定装置は、図４のように映像信号からＣＲＩ信号を検出するＣＲＩ検出部４００と、ＦＣ信号を検出するＦＣ検出部４１０と、ＣＲＩ及びＦＣの検出をもとにして現フィールドでのＴＥＬＥＴＥＸＴ信号を検出するフィールドＴＥＬＥＴＥＸＴ検出部４２０と、前フィールドでのＴＥＬＥＴＥＸＴ検出結果を保持する前フィールド検出結果保持部４４０と、現フィールドでのＴＥＬＥＴＥＸＴ検出結果と前フィールドでの検出結果とをもとにＴＥＬＥＴＥＸＴ有無判定を行うＴＥＬＥＴＥＸＴ有無判定部４３０とで構成される。
【０００５】
現フィールドにおいて、ＴＥＬＥＴＥＸＴが重畳する１８水平ライン位置からＣＲＩとＦＣの検出を行い、そのうち１水平ラインでＣＲＩとＦＣの検出があった場合、現フィールドでのＴＥＬＥＴＥＸＴ検出をありとする。現フィールドでのＴＥＬＥＴＥＸＴ検出結果と前フィールドでのＴＥＬＥＴＥＸＴ検出結果とのいずれかでＴＥＬＥＴＥＸＴ検出がある場合、現映像信号ではＴＥＬＥＴＥＸＴありと判定する。
【特許文献１】特開平９−９２１８号公報
【発明の開示】
【発明が解決しようとする課題】
【０００６】
しかし、従来技術では、電界強度が弱くノイズの多い信号状態において、ＶＢＩ信号のＣＲＩ及びＦＣの波形（図１参照）に類似したノイズ信号（図２参照）があった場合、これをＶＢＩと誤検出してしまう。つまり、ＶＢＩ信号が重畳していない場合でもＶＢＩ信号ありと誤判定してしまい、ＶＢＩ信号有無判定が安定しない問題があった。
【０００７】
このようにＶＢＩ信号有無判定が安定しないことで、ＶＢＩ機能の制御が停止してしまう、チャンネル切り替え時の制御が行えず正しい表示が行えない、ＶＢＩ信号なし時にＶＢＩ機能が誤動作してしまう、ＶＢＩ信号有無で異なる表示がちらついてしまう、などの実害が発生する。近年になりテレビ信号が安定していない国や地域でもＶＢＩ信号を使用するようになってきたため、ノイズの多い信号状態でも安定的にＶＢＩ信号有無を判定できることが要求される。
【０００８】
本発明の目的は、ノイズの多い信号状態でも安定的にＶＢＩ信号有無を判定できるようにすることにある。
【課題を解決するための手段】
【０００９】
上記目的を達成するため、本発明では、映像信号からＣＲＩ信号の有無を検出するＣＲＩ検出部と、ＦＣ（スタートコードを含む）信号の有無を検出するＦＣ検出部とに加えて、次のような構成を採用する。すなわち、上記課題は、次の発明１〜９により解決される。
【００１０】
発明１では、２フィールドでの判定結果を１組の１フレームの結果とし、フレーム間でＶＢＩ有無判定を行う。
【００１１】
発明２では、任意のＮ個のフレームでの判定結果を一塊のブロックの結果とし、ブロック間でのＶＢＩ有無判定を行う。
【００１２】
発明３では、フレーム間でのＶＢＩ有無判定を一定回数繰り返して判定を行う。
【００１３】
発明４では、１水平ラインでの検出において、ＣＲＩとＦＣの検出に加え、ＴＥＬＥＴＥＸＴデータのエラー判定を行う。
【００１４】
発明５では、現フィールドにおけるＶＢＩ検出ライン数を判定する。
【００１５】
発明６では、ＴＥＬＴＥＸＴ有無判定の際にＣＲＩとＦＣの検出に加え、現フィールドにおけるＶＰＳ（Video Programming Signal）信号検出と、そのデータエラー判定を行う。
【００１６】
発明７では、ＴＥＬＴＥＸＴ有無判定の際にＣＲＩとＦＣの検出に加え、現フィールドにおけるＷＳＳ（Wide Screen Signalling）信号検出と、そのデータエラー判定を行う。
【００１７】
発明８では、ＣＲＩとＦＣの検出に加え、一定時間において繰り返し送信されるＴＥＬＥＴＥＸＴデータパケット０の数をカウントして判定を行う。
【００１８】
発明９では、ＣＲＩとＦＣの検出に加え、弱電界判定を行い、弱電界時にのみフレーム間でのＶＢＩ有無判定を行う。
【発明の効果】
【００１９】
発明１により、弱電界時においてもランダムなノイズの誤検出を見つけ正常にＶＢＩ有無を判定することができる。
【００２０】
発明２により、不規則な周期で重畳するＶＢＩ信号がある場合でも、ノイズの誤検出を見つけ、かつ正常にＶＢＩ有無を判定することができる。
【００２１】
発明３により、弱電界時においてもランダムなノイズの誤検出を見つけ精度良くＶＢＩ有無を判定することができる。
【００２２】
発明４により、ノイズの誤検出が頻発する場合、またＴＥＬＥＴＥＸＴ信号に類似した信号が重畳した場合でも、正常にＴＥＬＥＴＥＸＴ有無を判定することができる。
【００２３】
発明５により、弱電界時においてノイズの誤検出が頻発する場合でも、正常にＴＥＬＥＴＥＸＴ有無を判定することができる。
【００２４】
発明６により、ＴＥＬＥＴＥＸＴ検出精度を上げることができ、また途中ＴＥＬＥＴＥＸＴ信号が途切れＶＰＳ信号のみが重畳する場合でも、正常にＴＥＬＥＴＥＸＴ有無を判定することができる。
【００２５】
発明７により、ＴＥＬＥＴＥＸＴ検出精度を上げることができ、また途中ＴＥＬＥＴＥＸＴ信号が途切れＷＳＳ信号のみが重畳する場合でも、正常にＴＥＬＥＴＥＸＴ有無を判定することができる。
【００２６】
発明８により、ＴＥＬＥＴＥＸＴ検出精度を上げることができ、また規格外のＴＥＬＥＴＥＸＴ信号が送信された場合でも、正常にＴＥＬＥＴＥＸＴ有無を判定することができる。
【００２７】
発明９により、従来技術と発明１とを使い分け、通常電界時には高速に、弱電界時には正常にＶＢＩ有無を判定することができる。
【発明を実施するための最良の形態】
【００２８】
《実施の形態１》
本発明の実施の形態１（発明１）の構成図を図７に、発明１の処理フローを図８のＳＴＥＰ８００〜ＳＴＥＰ８６０に、発明１による判定の具体例を図９に、発明１による判定の具体例一覧を図１０に、発明１による判定の具体例を図１１にそれぞれ示す。
【００２９】
発明１は、図７のように映像信号からＣＲＩ信号を検出するＣＲＩ検出部４００と、ＦＣ信号を検出するＦＣ検出部４１０と、ＣＲＩ及びＦＣの検出をもとにして現フィールドでのＴＥＬＥＴＥＸＴ信号を検出するフィールドＴＥＬＥＴＥＸＴ検出部４２０と、前３フィールドでのＴＥＬＥＴＥＸＴ検出結果を保持する複数フィールド検出結果保持部７１０と、現フィールドでのＴＥＬＥＴＥＸＴ検出結果と前３フィールドでの検出結果とをもとにＴＥＬＥＴＥＸＴ有無判定を行うフレーム型ＴＥＬＥＴＥＸＴ有無判定部７００とで構成される。
【００３０】
現フィールドにおいて、ＴＥＬＥＴＥＸＴが重畳する１８水平ライン位置からＣＲＩとＦＣの検出を行い、そのうち１水平ラインでＣＲＩとＦＣの検出があった場合、現フィールドでのＴＥＬＥＴＥＸＴ検出をありとする。
【００３１】
発明１では、現フィールドでのＴＥＬＥＴＥＸＴ検出結果と、１フィールド前でのＴＥＬＥＴＥＸＴ検出結果とを１組の現フレームの結果とし、２フィールド前でのＴＥＬＥＴＥＸＴ検出結果と、３フィールド前でのＴＥＬＥＴＥＸＴ検出結果とを、比較する１フレーム前の結果とし、現フレームと１フレーム前との比較を行う。
【００３２】
現フィールドと２フィールド前での検出結果が一致し、かつ１フィールド前と３フィールド前での検出結果が一致し、かつ現フィールド又は１フィールド前でＴＥＬＥＴＥＸＴ検出ありだった場合に、現映像信号においてＴＥＬＥＴＥＸＴありと判定する。
【００３３】
このように２フィールドのＴＥＬＥＴＥＸＴ検出結果を１組の１フレームの結果とし、フレーム間での規則性を判定することで、図１１のようにランダムノイズをＴＥＬＥＴＥＸＴと誤検出してしまった際に発生する不規則なＴＥＬＥＴＥＸＴの重畳を発見・除外し、安定的にＴＥＬＥＴＥＸＴ有無を判定することができる。なお、図１１中の１１００はノイズを誤検出した場合を、１１１０は検出が安定しない場合をそれぞれ示す。
【００３４】
《実施の形態２》
本発明の実施の形態２（発明２）の構成図を図１２に、発明２の処理フローを図１３のＳＴＥＰ１３００〜ＳＴＥＰ１３６０に、発明２による判定の具体例を図１４に、発明２による判定の具体例を図１５にそれぞれ示す。ここでは、Ｎ＝４フィールドごとの比較の場合を例として説明する。
【００３５】
発明２は、図１２のように映像信号からＣＲＩ信号を検出するＣＲＩ検出部４００と、ＦＣ信号を検出するＦＣ検出部４１０と、ＣＲＩ及びＦＣの検出をもとにして現フィールドでのＴＥＬＥＴＥＸＴ信号を検出するフィールドＴＥＬＥＴＥＸＴ検出部４２０と、前のフィールドでのＴＥＬＥＴＥＸＴ検出結果を複数保持する複数フィールド検出結果保持部１２１０と、現フィールドでのＴＥＬＥＴＥＸＴ検出結果と前の複数フィールドでの検出結果とをもとにＴＥＬＥＴＥＸＴ有無判定を行うＮフレーム型ＴＥＬＥＴＥＸＴ有無判定部１２００とで構成される。
【００３６】
現フィールドにおいてＴＥＬＥＴＥＸＴが重畳する１８水平ライン位置からＣＲＩとＦＣの検出を行い、そのうち１水平ラインでＣＲＩとＦＣの検出があった場合、現フィールドでのＴＥＬＥＴＥＸＴ検出をありとする。ここまでは従来と同様である。
【００３７】
発明２では、現フィールドでのＴＥＬＥＴＥＸＴ検出結果と、１フィールド前でのＴＥＬＥＴＥＸＴ検出結果とを１組の現フレームの結果とし、更に現フレームと任意のＮフレーム前までの結果を一塊の現ブロックの結果とし、現ブロックと１ブロック前との間で判定結果の比較を行う。ブロック間での比較は、時間順に対応する各フィールド間での結果比較を行い、全て一致したとき、かつ現ブロック中でＴＥＬＥＴＥＸＴ検出ありだった場合に、現映像信号においてＴＥＬＥＴＥＸＴありと判定する。
【００３８】
このように複数のフィールドの検出結果を一塊のブロックの結果とし、ブロック間での規則性を判定することで、ランダムノイズをＴＥＬＥＴＥＸＴと誤検出してしまった際に発生する不規則なＴＥＬＥＴＥＸＴの重畳を発見・除外し、安定的にＴＥＬＥＴＥＸＴ有無を判定することができる。また、図１５（Ｎ＝４）にて１５００で示すようにＴＥＬＥＴＥＸＴ信号が不規則な周期で重畳する映像信号が存在した場合においても、フレーム数Ｎを拡張することで、正常にＴＥＬＥＴＥＸＴ有無を判定することができる。
【００３９】
《実施の形態３》
本発明の実施の形態３（発明３）の構成図を図１６に、発明３の処理フローを図１７のＳＴＥＰ１７００〜ＳＴＥＰ１７９５に、発明３による判定の具体例を図１８に、発明３による判定の具体例を図１９にそれぞれ示す。ここでは、あり／なし判定閾値＝２の場合を例に説明する。
【００４０】
発明３は、図１６のように映像信号からＣＲＩ信号を検出するＣＲＩ検出部４００と、ＦＣ信号を検出するＦＣ検出部４１０と、ＣＲＩ及びＦＣの検出をもとにして現フィールドでのＴＥＬＥＴＥＸＴ信号を検出するフィールドＴＥＬＥＴＥＸＴ検出部４２０と、前３フィールドでのＴＥＬＥＴＥＸＴ検出結果を保持する複数フィールド検出結果保持部７１０と、現フィールドでのＴＥＬＥＴＥＸＴ検出結果と前３フィールドでの検出結果とをもとにＴＥＬＥＴＥＸＴ有無判定を行うフレーム型ＴＥＬＥＴＥＸＴ有無判定部７００と、ＴＥＬＥＴＥＸＴ有無判定結果をカウントする判定結果カウント部１６００と、判定結果カウント値からＴＥＬＥＴＥＸＴ有無判定を行うＴＥＬＥＴＥＸＴ信号有無確定部１６１０とで構成される。
【００４１】
現フィールドにおいて、ＴＥＬＥＴＥＸＴが重畳する１８水平ライン位置からＣＲＩとＦＣの検出を行い、そのうち１水平ラインでＣＲＩとＦＣの検出があった場合、現フィールドでのＴＥＬＥＴＥＸＴ検出をありとする。
【００４２】
発明３では、現フィールドでのＴＥＬＥＴＥＸＴ検出結果と、１フィールド前でのＴＥＬＥＴＥＸＴ検出結果とを１組の現フレームの結果とし、２フィールド前でのＴＥＬＥＴＥＸＴ検出結果と、３フィールド前でのＴＥＬＥＴＥＸＴ検出結果とを、比較する１フレーム前の結果とし、現フレームと１フレーム前との比較を行う。
【００４３】
現フィールドと２フィールド前での検出結果が一致し、かつ１フィールド前と３フィールド前での検出結果が一致し、かつ現フィールド又は１フィールド前でＴＥＬＥＴＥＸＴ検出ありだった場合に、現映像信号においてＴＥＬＥＴＥＸＴありと判定する。更にＴＥＬＥＴＥＸＴありと判定された回数をカウントし、カウント数が一定閾値以上になった場合に初めて、現映像信号においてＴＥＬＥＴＥＸＴありと判定する。ＴＥＬＥＴＥＸＴなしの判定の場合も、なしと判定された回数をカウントし、カウント数が一定閾値以上になった場合に初めて、現映像信号においてＴＥＬＥＴＥＸＴなしと判定する。また、ＴＥＬＥＴＥＸＴ判定が保留の場合は、あり判定回数と、なし判定回数とをクリアする。
【００４４】
このようにフレーム間での判定結果の連続性をカウントすることで、図１９のようなランダムノイズ１９００を除外すると同時に、過渡的な状況でも安定的にＴＥＬＥＴＥＸＴ有無を判定することができる。なお、図１９中の１９１０は安定したＶＢＩ信号を示す。
【００４５】
《実施の形態４》
本発明の実施の形態４（発明４）の構成図を図２０に、ＴＥＬＥＴＥＸＴデータ信号を図２１に、従来技術の現フィールドでの検出処理フローを図２２のＳＴＥＰ２２００〜ＳＴＥＰ２２６０に、発明４の現フィールドでの検出処理フローを図２３のＳＴＥＰ２３００〜ＳＴＥＰ２３７０にそれぞれ示す。
【００４６】
発明４は、図２０のように映像信号からＣＲＩ信号を検出するＣＲＩ検出部４００と、ＦＣ信号を検出するＦＣ検出部４１０と、ＴＥＬＥＴＥＸＴデータのエラー判定を検出するデータエラー検出部２０００と、ＣＲＩ及びＦＣの検出と先頭２バイトのデータとをもとにして現フィールドでのＴＥＬＥＴＥＸＴ信号を検出するデータエラー使用型フィールドＴＥＬＥＴＥＸＴ検出部２０１０と、前３フィールドでのＴＥＬＥＴＥＸＴ検出結果を保持する複数フィールド検出結果保持部７１０と、現フィールドでのＴＥＬＥＴＥＸＴ検出結果と前３フィールドでの検出結果とをもとにＴＥＬＥＴＥＸＴ有無判定を行うフレーム型ＴＥＬＥＴＥＸＴ有無判定部７００とで構成される。
【００４７】
発明４では、現フィールドにおいて、ＴＥＬＥＴＥＸＴが重畳する１８水平ライン位置からＣＲＩとＦＣの検出を行い、更にハミング８／４コードで送られてくる先頭２バイトのＴＥＬＥＴＥＸＴデータの値を取得する。そのうち１水平ラインでＣＲＩとＦＣの検出があり、かつ２バイトのデータがハミングエラーでない場合、現フィールドでのＴＥＬＥＴＥＸＴ検出をありとする。以降の現映像信号におけるＴＥＬＥＴＥＸＴ有無判定は発明１と同様である。
【００４８】
このように現フィールドでの検出に使用するデータを追加することで、ノイズの誤検出を防止し、安定的にＴＥＬＥＴＥＸＴ有無を判定することができる。
【００４９】
《実施の形態５》
本発明の実施の形態５（発明５）の構成図を図２４に、複数ライン検出時のＴＥＬＥＴＥＸＴ信号を図２５に、発明５の現フィールドでの検出処理フローを図２６のＳＴＥＰ２６００〜ＳＴＥＰ２６８０にそれぞれ示す。
【００５０】
発明５は、図２４のように映像信号からＣＲＩ信号を検出するＣＲＩ検出部４００と、ＦＣ信号を検出するＦＣ検出部４１０と、ＣＲＩ及びＦＣの検出をもとにして現フィールドでのＴＥＬＥＴＥＸＴ信号を検出するフィールドＴＥＬＥＴＥＸＴ検出部４２０と、ＴＥＬＥＴＥＸＴを検出したライン数をカウントする検出ライン数カウント部２４００と、このカウント結果を取得してＴＥＬＥＴＥＸＴ信号検出を判定するフィールドＴＥＬＥＴＥＸＴ検出確定部２４１０と、前３フィールドでのＴＥＬＥＴＥＸＴ検出結果を保持する複数フィールド検出結果保持部７１０と、現フィールドでのＴＥＬＥＴＥＸＴ検出結果と前３フィールドでの検出結果とをもとにＴＥＬＥＴＥＸＴ有無判定を行うフレーム型ＴＥＬＥＴＥＸＴ有無判定部７００とで構成される。
【００５１】
発明５では、現フィールドにおいて、ＴＥＬＥＴＥＸＴが重畳する１８水平ライン位置からＣＲＩとＦＣの検出を行い、ＣＲＩとＦＣの検出があった水平ライン数をカウントし、カウント値がライン数閾値を超える場合、現フィールドでのＴＥＬＥＴＥＸＴ検出をありとする。以降の現映像信号におけるＴＥＬＥＴＥＸＴ有無判定は発明１と同様である。
【００５２】
このように現フィールドでの検出ライン数をカウントすることで、ノイズの誤検出による耐性を向上させ、安定的にＴＥＬＥＴＥＸＴ有無を判定することができる。
【００５３】
《実施の形態６》
本発明の実施の形態６（発明６）の構成図を図２７に、ＶＰＳ信号を図２８に、発明６の判定処理フローを図２９のＳＴＥＰ２９００〜ＳＴＥＰ２９９５にそれぞれ示す。
【００５４】
発明６は、図２７のように映像信号からＣＲＩ信号を検出するＣＲＩ検出部４００と、ＦＣ信号を検出するＦＣ検出部４１０と、ＶＰＳ信号のＣＲＩ信号を検出するＶＰＳ／ＣＲＩ検出部２７００と、ＶＰＳ信号のスタートコードを検出するＶＰＳスタートコード検出部２７１０と、ＶＰＳのデータを検出するＶＰＳデータ検出部２７２０と、ＣＲＩとＦＣとＶＰＳ／ＣＲＩとＶＰＳスタートコードとの検出と、ＶＰＳデータとをもとにして現フィールドでのＴＥＬＥＴＥＸＴ信号を検出するＶＰＳ使用型フィールドＴＥＬＥＴＥＸＴ検出部２７３０と、前３フィールドでのＴＥＬＥＴＥＸＴ検出結果を保持する複数フィールド検出結果保持部７１０と、現フィールドでのＴＥＬＥＴＥＸＴ検出結果と前３フィールドでの検出結果とをもとにＴＥＬＥＴＥＸＴ有無判定を行うフレーム型ＴＥＬＥＴＥＸＴ有無判定部７００とで構成される。ただし、ＶＰＳ／ＣＲＩ検出部２７００とＶＰＳスタートコード検出部２７１０とは、ＣＲＩ検出部４００及びＦＣ検出部４１０がその機能を有していても構わない。
【００５５】
発明６では、現フィールドにおいて、ＴＥＬＥＴＥＸＴが重畳する１８水平ライン位置からＣＲＩとＦＣの検出を行い、そのうち１水平ラインでＣＲＩとＦＣの検出があった場合、現フィールドでのＴＥＬＥＴＥＸＴ検出をありとする。また、ＶＰＳ信号が重畳するライン１６については、ＶＰＳ／ＣＲＩとスタートコードとＶＰＳデータとの検出を行い、ＶＰＳ／ＣＲＩとスタートコードとの検出があり、かつバイフェーズ方式で送信されるＶＰＳデータにビットエラーがない場合も、現フィールドでのＴＥＬＥＴＥＸＴ検出をありとする。以降の現映像信号におけるＴＥＬＥＴＥＸＴ有無判定は発明１と同様である。
【００５６】
このようにＶＰＳデータをＴＥＬＥＴＥＸＴ有無判定に追加することにより、ノイズの誤検出を防止し、安定的にＴＥＬＥＴＥＸＴ有無を判定することができる。また途中ＴＥＬＥＴＥＸＴ信号が途切れＶＰＳ信号のみが重畳する場合でも、正常にＴＥＬＥＴＥＸＴ有無を判定することができる。
【００５７】
《実施の形態７》
本発明の実施の形態７（発明７）の構成図を図３０に、ＷＳＳ信号を図３１に、発明７の判定処理フローを図３２のＳＴＥＰ３２００〜ＳＴＥＰ３２９５にそれぞれ示す。
【００５８】
発明７は、図３０のように映像信号からＣＲＩ信号を検出するＣＲＩ検出部４００と、ＦＣ信号を検出するＦＣ検出部４１０と、ＷＳＳ信号のＣＲＩ信号を検出するＷＳＳ／ＣＲＩ検出部３０００と、ＷＳＳ信号のスタートコードを検出するＷＳＳスタートコード検出部３０１０と、ＷＳＳのデータを検出するＷＳＳデータ検出部３０２０と、ＣＲＩとＦＣとＷＳＳ／ＣＲＩとＷＳＳスタートコードとの検出と、ＷＳＳデータとをもとにして現フィールドでのＴＥＬＥＴＥＸＴ信号を検出するＷＳＳ使用型フィールドＴＥＬＥＴＥＸＴ検出部３０３０と、前３フィールドでのＴＥＬＥＴＥＸＴ検出結果を保持する複数フィールド検出結果保持部７１０と、現フィールドでのＴＥＬＥＴＥＸＴ検出結果と前３フィールドでの検出結果とをもとにＴＥＬＥＴＥＸＴ有無判定を行うフレーム型ＴＥＬＥＴＥＸＴ有無判定部７００とで構成される。ただし、ＷＳＳ／ＣＲＩ検出部３０００とＷＳＳスタートコード検出部３０１０とは、ＣＲＩ検出部４００及びＦＣ検出部４１０がその機能を有していても構わない。
【００５９】
発明７では、現フィールドにおいて、ＴＥＬＥＴＥＸＴが重畳する１８水平ライン位置からＣＲＩとＦＣの検出を行い、そのうち１水平ラインでＣＲＩとＦＣの検出があった場合、現フィールドでのＴＥＬＥＴＥＸＴ検出をありとする。また、ＷＳＳ信号が重畳するライン２３については、ＷＳＳ／ＣＲＩとスタートコードとＷＳＳデータとの検出を行い、ＷＳＳ／ＣＲＩとスタートコードとの検出があり、かつバイフェーズ方式で送信されるＷＳＳデータにビットエラーがない場合も、現フィールドでのＴＥＬＥＴＥＸＴ検出をありとする。以降の現映像信号におけるＴＥＬＥＴＥＸＴ有無判定は発明１と同様である。
【００６０】
このようにＷＳＳデータをＴＥＬＥＴＥＸＴ有無判定に追加することにより、ノイズの誤検出を防止し、安定的にＴＥＬＥＴＥＸＴ有無を判定することができる。また途中ＴＥＬＥＴＥＸＴ信号が途切れＷＳＳ信号のみが重畳する場合でも、正常にＴＥＬＥＴＥＸＴ有無を判定することができる。
【００６１】
《実施の形態８》
本発明の実施の形態８（発明８）の構成図を図３３に、発明８によるパケット０カウント部を図３４に、発明８の判定処理フローを図３５のＳＴＥＰ３５００〜ＳＴＥＰ３５７０にそれぞれ示す。
【００６２】
発明８は、図３３のように映像信号からＣＲＩ信号を検出するＣＲＩ検出部４００と、ＦＣ信号を検出するＦＣ検出部４１０と、ＴＥＬＥＴＥＸＴデータを取得するデータスライス部３３００と、ＣＲＩ及びＦＣと先頭２バイトのデータとから現フィールドでのＴＥＬＥＴＥＸＴパケット０（パケット番号は任意。本実施例では０とする）データ数をカウントするパケット０カウント部３３１０と、集計するフィールド数を保持するフィールドカウンタ保持部３３４０と、集計するフィールドでのパケット０の合計値を保持するパケット０合計値保持部３３３０と、パケット０合計値からＴＥＬＥＴＥＸＴ有無を判定するパケット０使用型ＴＥＬＥＴＥＸＴ有無判定部３３２０とで構成される。
【００６３】
発明８では、現フィールドにおいて、ＴＥＬＥＴＥＸＴが重畳する１８水平ライン位置からＣＲＩとＦＣの検出を行い、更にハミング８／４コードで送られてくる先頭２バイトのＴＥＬＥＴＥＸＴデータの値を取得する。ＣＲＩとＦＣとの検出があり、かつ２バイトのデータがハミングエラーでなく、かつ２バイト目のデータがパケット番号０を示す水平ラインがある場合、パケット０カウンタを１つ加算する。このカウントを任意のフィールド分行い、そのときのパケット０カウンタの合計値がパケット判定閾値を越えていた場合、現映像信号においてＴＥＬＥＴＥＸＴありと判定する。
【００６４】
このように一定のフィールドにおけるパケット０の検出数をカウントすることで、ノイズの誤検出を防止し、安定的にＴＥＬＥＴＥＸＴ有無を判定することができる。また規格外のＴＥＬＥＴＥＸＴ信号が送信された場合でも、正常にＴＥＬＥＴＥＸＴ有無を判定することができる。
【００６５】
《実施の形態９》
本発明の実施の形態９（発明９）の構成図を図３６に、発明９による判定処理フローを図３７のＳＴＥＰ３７００〜ＳＴＥＰ３７２０にそれぞれ示す。
【００６６】
発明９は、図３６のように映像信号からＣＲＩ信号を検出するＣＲＩ検出部４００と、ＦＣ信号を検出するＦＣ検出部４１０と、ＣＲＩ及びＦＣの検出をもとにして現フィールドでのＴＥＬＥＴＥＸＴ信号を検出するフィールドＴＥＬＥＴＥＸＴ検出部４２０と、前３フィールドでのＴＥＬＥＴＥＸＴ検出結果を保持する複数フィールド検出結果保持部７１０と、弱電界判定部３６００と、現フィールドでのＴＥＬＥＴＥＸＴ検出結果と前３フィールドでの検出結果とをもとにＴＥＬＥＴＥＸＴ有無判定を行う弱電界使用型ＴＥＬＥＴＥＸＴ有無判定部３６１０とで構成される。
【００６７】
現フィールドにおいて、ＴＥＬＥＴＥＸＴが重畳する１８水平ライン位置からＣＲＩとＦＣの検出を行い、そのうち１水平ラインでＣＲＩとＦＣの検出があった場合、現フィールドでのＴＥＬＥＴＥＸＴ検出をありとする。ここまでは従来と同様である。
【００６８】
発明９では、弱電界判定により弱電界と判定された場合は、発明１で示すＴＥＬＥＴＥＸＴ判定方法を実施し、通常電界時には従来技術を実施することで、現映像信号におけるＴＥＬＥＴＥＸＴ有無判定を行う。
【００６９】
このように弱電界判定によってＴＥＬＥＴＥＸＴ有無判定手法を切り替えることによって、通常電界時には高速に、弱電界時にはノイズの影響なく正常にＴＥＬＥＴＥＸＴ有無を判定することができる。
【００７０】
以上、図面を参照しながら発明１〜９を説明してきたが、発明１、２、３、９についてはＴＥＬＥＴＥＸＴデータに限らず、一般にＶＢＩデータのスライス回路を有するテレビ装置、録画装置などにおいて有用である。
【００７１】
図３８は、テレビ装置のシステム構成図である。図３８のシステムは、アンテナからの映像／音声信号を受信する画面チューナー１６と、画面チューナー１６からの音声信号を処理する画面音声信号処理部１８と、画面チューナー１６からの映像信号からＶＢＩデータを取り込むＶＢＩ信号データ抜き取り部１９と、ＶＢＩ信号データ抜き取り部１９にて抜き取ったＶＢＩデータから字幕データを作成する画面字幕制御部１５と、画面字幕制御部１５からの字幕データをオンスクリーン信号に変換するオンスクリーン表示処理部２０と、画面チューナー１６からの映像信号及びオンスクリーン表示処理部２０からのオンスクリーン信号を処理する画面映像信号処理部１７と、画面映像信号処理部１７からの映像信号とオンスクリーン表示処理部２０からのオンスクリーン信号とを合成する映像合成処理部２１と、テレビ装置の制御を行うテレビ制御部１３と、リモコンからの送信コードを解読するためのリモコンコード解読部１１と、リモコンコード解読部１１から入力されたイベントを判断してテレビ制御部１３に指示を出すイベント管理部１２と、現在の状態モードを記憶する記憶部１４とから構成される。これらのシステム構成要素のうちＶＢＩ信号データ抜き取り部１９に上記発明１〜９を適用することができる。
【００７２】
図３９は、録画装置のシステム構成図である。図３９において、３０は録画制御部、３１は録画部であり、他は図３８のテレビ装置と同様である。図３９のシステムでも、ＶＢＩ信号データ抜き取り部１９に上記発明１〜９を適用することができる。
【００７３】
なお、ここでは図３８及び図３９の構成を例に説明したが、これらの構成に限定するものではない。
【産業上の利用可能性】
【００７４】
以上説明してきたとおり、発明１〜９はＴＥＬＥＴＥＸＴデータのスライス回路を有するテレビ装置などにおいて有用である。また、発明１、２、３、９についてはＴＥＬＥＴＥＸＴデータに限らず、一般にＶＢＩデータのスライス回路を有するテレビ装置などにおいて有用である。
【図面の簡単な説明】
【００７５】
【図１】正常なＴＥＬＥＴＥＸＴ信号を示すタイミング図である。
【図２】誤検出するノイズ信号例を示すタイミング図である。
【図３】映像信号とフィールド及びフレームとの関係を示すタイミング図である。
【図４】従来技術に係るＶＢＩ信号有無判定装置の構成図である。
【図５】従来技術の処理フロー図である。
【図６】従来技術による判定の具体例を示す図である。
【図７】発明１に係るＶＢＩ信号有無判定装置の構成図である。
【図８】発明１の処理フロー図である。
【図９】発明１による判定の具体例を示す図である。
【図１０】発明１による判定の具体例一覧を示す図である。
【図１１】発明１による判定の具体例を示すタイミング図である。
【図１２】発明２に係るＶＢＩ信号有無判定装置の構成図である。
【図１３】発明２の処理フロー図である。
【図１４】発明２による判定の具体例を示す図である。
【図１５】発明２による判定の具体例を示すタイミング図である。
【図１６】発明３に係るＶＢＩ信号有無判定装置の構成図である。
【図１７】発明３の処理フロー図である。
【図１８】発明３による判定の具体例を示す図である。
【図１９】発明３による判定の具体例を示すタイミング図である。
【図２０】発明４に係るＶＢＩ信号有無判定装置の構成図である。
【図２１】ＴＥＬＥＴＥＸＴデータ信号を示すタイミング図である。
【図２２】従来技術の現フィールドでの検出処理フロー図である。
【図２３】発明４の現フィールドでの検出処理フロー図である。
【図２４】発明５に係るＶＢＩ信号有無判定装置の構成図である。
【図２５】複数ライン検出時のＴＥＬＥＴＥＸＴ信号を示すタイミング図である。
【図２６】発明５の現フィールドでの検出処理フロー図である。
【図２７】発明６に係るＶＢＩ信号有無判定装置の構成図である。
【図２８】ＶＰＳ信号を示すタイミング図である。
【図２９】発明６の判定処理フロー図である。
【図３０】発明７に係るＶＢＩ信号有無判定装置の構成図である。
【図３１】ＷＳＳ信号を示すタイミング図である。
【図３２】発明７の判定処理フロー図である。
【図３３】発明８に係るＶＢＩ信号有無判定装置の構成図である。
【図３４】発明８によるパケット０カウント部の処理フロー図である。
【図３５】発明８の判定処理フロー図である。
【図３６】発明９に係るＶＢＩ信号有無判定装置の構成図である。
【図３７】発明９による判定処理フロー図である。
【図３８】発明１〜９に係るＶＢＩ信号有無判定装置を利用したテレビ装置のシステム構成図である。
【図３９】発明１〜９に係るＶＢＩ信号有無判定装置を利用した録画装置のシステム構成図である。
【符号の説明】
【００７６】
１１  リモコンコード解読部
１２  イベント管理部
１３  テレビ制御部
１４  記憶部
１５  画面字幕制御部
１６  画面チューナー
１７  画面映像信号処理部
１８  画面音声信号処理部
１９  ＶＢＩ信号データ抜き取り部
２０  オンスクリーン表示処理部
２１  映像合成処理部
３０  録画制御部
３１  録画部
４００  ＣＲＩ検出部
４１０  ＦＣ検出部
４２０  フィールドＴＥＬＥＴＥＸＴ検出部
４３０  ＴＥＬＥＴＥＸＴ有無判定部
４４０  前フィールド検出結果保持部
７００  フレーム型ＴＥＬＥＴＥＸＴ有無判定部
７１０  複数（最小３）フィールド検出結果保持部
１２００  Ｎフレーム型ＴＥＬＥＴＥＸＴ有無判定部
１２１０  複数（最小７）フィールド検出結果保持部
１６００  判定結果カウント部
１６１０  ＴＥＬＥＴＥＸＴ有無確定部
２０００  データエラー検出部
２０１０  データエラー使用型フィールドＴＥＬＥＴＥＸＴ検出部
２４００  検出ライン数カウント部
２４１０  フィールドＴＥＬＥＴＥＸＴ検出確定部
２７００  ＶＰＳ／ＣＲＩ検出部
２７１０  ＶＰＳスタートコード検出部
２７２０  ＶＰＳデータ検出部
２７３０  ＶＰＳ使用型フィールドＴＥＬＥＴＥＸＴ検出部
３０００  ＷＳＳ／ＣＲＩ検出部
３０１０  ＷＳＳスタートコード検出部
３０２０  ＷＳＳデータ検出部
３０３０  ＷＳＳ使用型フィールドＴＥＬＥＴＥＸＴ検出部
３３００  データスライス部
３３１０  パケット０カウント部
３３２０  パケット０使用型ＴＥＬＥＴＥＸＴ有無判定部
３３３０  パケット０合計値保持部
３３４０  フィールドカウンタ保持部
３６００  弱電界判定部
３６１０  弱電界使用型ＴＥＬＥＴＥＸＴ有無判定部
【図１】
2008228008.tif 000003
【図２】
2008228008.tif 000004
【図３】
2008228008.tif 000005
【図４】
2008228008.tif 000006
【図５】
2008228008.tif 000007
【図６】
2008228008.tif 000008
【図７】
2008228008.tif 000009
【図８】
2008228008.tif 000010
【図９】
2008228008.tif 000011
【図１０】
2008228008.tif 000012
【図１１】
2008228008.tif 000013
【図１２】
2008228008.tif 000014
【図１３】
2008228008.tif 000015
【図１４】
2008228008.tif 000016
【図１５】
2008228008.tif 000017
【図１６】
2008228008.tif 000018
【図１７】
2008228008.tif 000019
【図１８】
2008228008.tif 000020
【図１９】
2008228008.tif 000021
【図２０】
2008228008.tif 000022
【図２１】
2008228008.tif 000023
【図２２】
2008228008.tif 000024
【図２３】
2008228008.tif 000025
【図２４】
2008228008.tif 000026
【図２５】
2008228008.tif 000027
【図２６】
2008228008.tif 000028
【図２７】
2008228008.tif 000029
【図２８】
2008228008.tif 000030
【図２９】
2008228008.tif 000031
【図３０】
2008228008.tif 000032
【図３１】
2008228008.tif 000033
【図３２】
2008228008.tif 000034
【図３３】
2008228008.tif 000035
【図３４】
2008228008.tif 000036
【図３５】
2008228008.tif 000037
【図３６】
2008228008.tif 000038
【図３７】
2008228008.tif 000039
【図３８】
2008228008.tif 000040
【図３９】
2008228008.tif 000041